(57)【要約】      （修正有）【課題】従来の枕は、後頭骨を支持しないようにした枕が提供されているが、寝ている間に就寝者が無意識に動くことにより、後頭骨を含む後頭部全体を枕が支持してしまい、後頭骨の自由な動きを阻害するという問題があった。【解決手段】ベース枕部と、８の字枕部と、帯状枕部と、連結シートとを有し、ベース枕部には、就寝者の後頭骨部位を部分収容可能な収容空間が設けられ、８の字枕部には、それぞれ貫通孔が設けられ、かつ、ベース枕部の上で就寝者の肩方向に並ぶ２つの円形枕部が設けられ、帯状枕部には、就寝者の首を載せる枕部位と、枕部位を挟んで両端に位置する両差し込み部位と、が設けられ、連結シートは２枚であり、それぞれがベース枕部及び帯状枕部に接続される接続部を有し、両差し込み部は、貫通孔を貫通して両円形枕部の裏側に突き出すように配され、かつ、突き出した部位は、連結シートを介してベース枕部に連結される枕を提供する。【選択図】図１
2014176589.tif 000002
【特許請求の範囲】
【請求項１】
ベース枕部と、８の字枕部と、帯状枕部と、連結シートとを有する枕であって、
前記ベース枕部には、就寝者の後頭骨部位を部分収容可能な収容空間が設けられ、
前記８の字枕部には、それぞれ貫通孔が設けられ、かつ、前記ベース枕部の上で就寝者の肩方向に並ぶ２つの円形枕部が設けられ、
前記帯状枕部には、就寝者の首を載せる枕部位と、当該枕部位を挟んで両端に位置する両差し込み部位と、が設けられ、
前記連結シートは２枚であり、それぞれが前記ベース枕部及び帯状枕部に接続される接続部を有し、
前記両差し込み部は、前記貫通孔を貫通して前記両円形枕部の裏側に突き出すように配され、かつ、突き出した部位は、前記連結シートを介して前記ベース枕部に連結され、前記両連結シートは就寝者の頭方側で前記ベース枕部に接続していることを特徴とする枕。
【請求項２】
さらに、連結部材を有し、
この連結部材は、前記ベース枕部の両端に設けた固定部位と接続し、
前記連結シートのそれぞれは、一端が前記帯状枕部に、他端が前記連結部材に接続されていること特徴とする請求項１記載の枕。
【請求項３】
前記ベース枕部は、就寝者の首を載せる枕部位の中心部分から両端に向かって、断面の径が増加し、
前記８の字枕部は、就寝者の左右方向に向かって、断面の径が増加していることを特徴とする請求項１記載乃至請求項２の枕。
【発明の詳細な説明】
【技術分野】
【０００１】  本発明は、後頭骨の動きを阻害せず後頭骨周辺の筋肉を弛緩させることができる枕に関する。
【背景技術】
【０００２】  枕は、やさしく頭を支える物というイメージが定着しており、約５Ｋｇともいわれる頭の重さを後頭骨で支える事で、後頭骨の動きを阻害していた。
後頭骨の動きが阻害されることにより後頭骨周辺の筋肉を硬縮させ、寝違いや肩こり、頭痛などを引き起こす一因となっている。【０００３】  後頭骨を支持しない枕は、以下の特許文献１、２に示されている。
【先行技術文献】
【特許文献】
【０００４】
【特許文献１】  特開２０１２−１６５９９７号公報
【特許文献２】  特許第４９９９８８３号公報
【発明の概要】
【発明が解決しようとする課題】
【０００５】  前記両特許文献は、後頭骨を支持しないようにした枕が記載されているが寝ている間に就寝者が無意識に動くことにより、後頭骨を含む後頭部全体を枕が支持してしまうという問題があった。後頭骨を含む後頭部を枕が支持することより、後頭骨の自由な動きを阻害し、そのことにより後頭骨と頚椎をつなぐ前頭直筋、後頭直筋、頭長筋上頭斜筋、また、後頭骨と直接つながってはいないが第２頚椎から第１頸椎横突起をつなぐ下頭斜筋などを硬縮させてしまう。
【課題を解決するための手段】
【０００６】  本発明は、就寝者が無意識に動くことがあっても、就寝者の後頭骨を支持しないようにした枕を提供する。
そのために本発明は、
ベース枕部と、８の字枕部と、帯状枕部と、連結シートとを有する枕であって、
前記ベース枕部には、就寝者の後頭骨部位を部分収容可能な収容空間が設けられ、
前記８の字枕部には、それぞれ貫通孔が設けられ、かつ、前記ベース枕部の上で就寝者の肩方向に並ぶ２つの円形枕部が設けられ、
前記帯状枕部には、就寝者の首を載せる枕部位と、当該枕部位を挟んで両端に位置する両差し込み部位と、が設けられ、
前記連結シートは２枚であり、それぞれが前記ベース枕部及び帯状枕部に接続される接続部を有し、
前記両差し込み部は、前記貫通孔を貫通して前記両円形枕部の裏側に突き出すように配され、かつ、突き出した部位は、前記連結シートを介して前記ベース枕部に連結され、前記両連結シートは就寝者の頭方側で前記ベース枕部に接続していることを特徴とする。
【発明の効果】
【０００７】  本発明による枕は、連結シートがベース枕部に連結され、両連結シートは就寝者の頭方側で前記ベース枕部に接続しているので、就寝者の自重で前記８の字枕部と帯状枕部は就寝者のＸ方向へ持ち上がり易くなり、さらに、前記８の字枕部と帯状枕部が就寝者のＹ方向へも持ち上がることで、頭がベース枕部の収容空間に収まり、寝ている間に無意識に動いてもその動きに応じて後頭骨を支持しない、換言すると後頭骨を解放し続けるのでその動きを阻害せず、後頭骨と頚椎をつなぐ前頭直筋、後頭直筋、頭長筋、上頭斜筋、また、後頭骨と直接つながってはいないが第２頚椎から第１頸椎横突起をつなぐ下頭斜筋などを弛緩させることができる。
【図面の簡単な説明】
【０００８】
【図１】は、本発明の枕の正面外観図である。
【図２】は、本発明の枕の側面図である。
【図３】は、本発明の枕の使用状態を示す側面図である。
【図４】は、ベース枕部の正面図である。
【図５】は、８の字枕部の正面図である。
【図６】は、連結部材と帯状枕部と連結シートの連結関係を示す正面図である。
【図７】は、ベース枕部、８の字枕部の他の変形例を示す正面図である。
【発明を実施するための形態】
【０００９】  本発明の具体的な実施の形態を、図面について説明する。
図１は本発明の枕の基本的な構造を示す正面図である。
枕１００は、ベース枕部１と、８の字枕部２と、帯状枕部３と、連結部材４、連結シート５からなる。
ベース枕部１は図４に詳細に示すように、後頭骨の動きを阻害しないための後頭骨部位を部分収容可能な空間１ｃを有する全体としてＵの字型をしており、横向き時に動きに応じて前頭直筋、後頭直筋、頭長筋、上頭斜筋、下頭斜筋などを弛緩させるようＵの字の口を開いた部分に向かって断面の径が徐々に大きくなっていくように設計されている。
その両端近傍に、固定部位１ｂを有し、この固定部位１ｂは連結部材４の両端が接続され、ベース枕部１の形状を安定させ、かつ動きを制限する。空気圧を調整するための空気口１ａを有する。
【００１０】  図５に示すように、８の字枕部２は、二つの円形枕部２ａ、２ｂが中央で結合された全体として８の字形状をおり、全体に空気が流通するための接続部２ｄを有する。
二つの円形枕部には、それぞれ貫通孔２ｅが設けられ、かつ、ベース枕部１の上で就寝者の肩方向に二つ並べて配する。
二つの円形枕部２ａ、２ｂは、断面形状が円形をしており、寝返りや横向き寝が楽にでき、さらに就寝時の無意識の動きに応じて前頭直筋、後頭直筋、頭長筋、上頭斜筋、下頭斜筋などを弛緩させるよう、就寝者の左右方向へとその断径は徐々に大きくなっており、空気圧を調整するための空気口２ｃを有する。
【００１１】  帯状枕部３は図６に示すように、就寝者の首を載せる枕部位３ｆと、当該枕部位を挟んで両端に位置する両差し込み部３ｇが設けられている。
両差し込み部３ｇは、前記貫通孔２ｅを貫通して前記両円形枕部の２ａ、２ｂの裏側に突き出すように配される。空気圧を調整するための空気口３ｃを有する。
帯状枕部３と連結部材４は２枚の連結シート５ａ、５ｂによって連結される。すなわち、連結シート５ａ、５ｂの一方の接続部５ｅ、５ｆが帯状枕部３の接続部３ａ３ｂで接続され、５ｃ、５ｄが連結部材４の接続部４ａ、４ｂで接続される。更に連結シート５ａ、５ｂの接続部５ｇ、５ｈで帯状枕部３の接続部３ｄ、３ｅと接続される。
したがって、両連結シート５ａ、５ｂは、就寝者の頭方側で連結部材４と接続される。
また、連結部材４を前記ベース枕部１の固定部位１ｂに接続する。
この構造により、就寝中の無意識の動きに応じ、就寝者の自重で、前記８の字枕部２と帯状枕部３は、就寝者のＸ方向へ持ち上がり、さらに、前記８の字枕部２と帯状枕部３は就寝者のＹ方向へも持ち上がる。
【００１２】  連結部材４は図６に示すように、前記ベース枕部１の固定部位１ｂにそれぞれ固定位置４ｃ、４ｄで接続することで前記ベース枕部１の形状を安定させ、かつ、動きに制限を加えるための部材であり、帯状枕部３と連結シート５を介して連結される。
【００１３】  連結シート５ａ、５ｂは、前記連結部材４と前記帯状枕部３を連結させるためのものである。
連結シート５ａ、５ｂの一方の接続部５ｅ、５ｆは帯状枕部３の接続部３ａ、３ｂで接続され、５ｃ、５ｄが連結部材４の接続部４ａ、４ｂで接続される。更に、連結シート５ａ、５ｂの接続部５ｇ、５ｈで帯状枕部３の接続部３ｄ、３ｅと接続される。
このシートにより就寝中の無意識の動きに応じて、就寝者の自重で、前記８の字枕部２と帯状枕部３は、就寝者のＸ方向へ持ち上がり、さらに前記８の字枕部２と帯状枕部３は就寝者のＹ方向へも持ち上がる構造となる。
【００１４】  次に、枕１００の組み立てについて説明する。
８の字枕部２の円形枕部２ａ、２ｂの貫通孔２ｅに、帯状枕部３の両差し込み部３ｇを裏側に突き出すように配する。
帯状枕部３と連結部材４は２枚の連結シート５ａ、５ｂによって連結される。すなわち、連結シート５ａ、５ｂの一方の接続部５ｅ、５ｆが帯状枕部３の接続部３ａ３ｂで接続され、５ｃ、５ｄが連結部材４の接続部４ａ、４ｂで接続される。更に連結シート５ａ、５ｂの接続部５ｇ、５ｈで帯状枕部３の接続部３ｄ、３ｅと接続される。したがって、両連結シート５ａ、５ｂは、就寝者の頭方側で連結部材４と接続される。
また、連結部材４を前記ベース枕部１の固定部位１ｂに接続する。
帯状枕部３と連結シート５ａ、５ｂを連結した状態で、ベース枕部１の就寝者の頭方側に、連結シート５ａ、５ｂを接続しても良い。
両連結シート５ａ、５ｂの一端は、帯状枕部３の両差し込み部と就寝者の肩側上方で接続され、他端は連結部材４と就寝者の肩側下方で接続されることで、就寝中の無意識の動きに応じて、就寝者の自重で前記８の字枕部２と前記帯状枕部３は、就寝者のＸ方向へ持ち上がり、さらに前記８の字枕部２と前記帯状枕部３は、就寝者のＹ方向へも持ち上がる構造となる。
【００１５】  図２は、本発明の枕１００の側面図である。また、図３は、本発明の枕１００の使用状態を示す側面図である。比較すると、後頭骨は枕にも布団類にも着いておらず、自重で前記８の字枕部２と前記帯状枕部３が就寝者のＸ方向に持ち上がり、前記８の字枕部２と帯状枕部３が就寝者のＹ方向に開いている。
【００１６】  図７はベース枕部１と８の字枕部２の変形例を示す。
ａからｅまでは、ベース枕部１の変形例である。それぞれ、後頭骨の動きを阻害しないための後頭骨部位を部分収容可能な空間を有し、就寝者の頭方に向かって断面の径が徐々に増加していくように設計されていれば良く、ｄとｅについては、両端に紐などを装着し、使用者の好みで調整が出来るような形状でも良い。
ｆとｇは、８の字枕部２の変形例を示す。空気の流通経路を有する接続部と就寝者の左右方向へ向かって断面の径が徐々に増加していくように設計されていれば良い。
また、円形枕部の形状は、やや楕円形であっても良い。
【００１７】  なお、本発明の枕は、空気を充填する空気枕について説明したが、空気以外に、液体や粒状ビーズ、羽毛、プラスチック類、樹脂類、木材、ポリウレタン類、シリコン類の他、通常の枕の内部に使用される類の内容物であれば良い。
また、枕自身が柔軟性を持った素材、樹脂類、ポリウレタン類、シリコン類などで形成されても良い。
【符号の説明】１は、ベース枕部
１ａは、ベース枕部の空気口
１ｂは、連結部材４の固定部位
１ｃは、後頭骨部位を部分収容可能な空間
２は、８の字枕部
２ａ、２ｂは、８の字枕部の円形枕部
２ｃは、８の字枕部の空気口
２ｄは、空気が流通するための接続部
２ｅは、円形枕部の貫通孔
３は、帯状枕部
３ａ、３ｂ、３ｄ、３ｅは、連結シート５ａ、５ｂとの接続位置
３ｃは、帯状枕部の空気口
３ｆは、帯状枕部の枕部位
３ｇは、帯状枕部の両差し込み部及び突き出した部位
４は、連結部材
４ａ、４ｂは、連結シート５ａ、５ｂとの接続位置
４ｃ、４ｄは、ベース枕部１ｂとの接続位置
５ａ、５ｂは、連結シート
５ｃ、５ｄは、連結部材４との接続位置
５ｅ、５ｆ、５ｇ、５ｈは、帯状枕部３との接続位置
１００は、本発明の枕
ａ、ｂ、ｃ、ｄ、ｅは、ベース枕部１の変形例
ｆ、ｇは、８の字枕部２の変形例
【図１】
2014176589.tif 000003
【図２】
2014176589.tif 000004
【図３】
2014176589.tif 000005
【図４】
2014176589.tif 000006
【図５】
2014176589.tif 000007
【図６】
2014176589.tif 000008
【図７】
2014176589.tif 000009